(57)【要約】【課題】一部の領域に注釈情報が付与された画像を取り扱う画像処理装置であって、注釈情報の中から使用者が選択したもののみを出力する能率のよいものを提供する。【解決手段】パーソナルコンピュータは、印刷プレビューウィンドウ（７３）にプレビュー表示領域（７３ａ）とアノテーション選択領域（７３ｂ）を設定し、画像をプレビュー表示領域（７３ａ）に表示し、注釈情報をアノテーション選択領域（７３ｂ）に表示する。アノテーション選択領域（７３ｂ）に表示した注釈情報の中からいずれかの注釈情報が選択されたときは、その注釈情報をプレビュー表示領域（７３ａ）の表示に加える。印刷に際しては、プレビュー表示領域（７３ａ）に表示されているもののみをプリンタに出力する。【選択図】      図６
2005025548.tif 000002
【特許請求の範囲】
【請求項１】
画像および画像の一部の領域に付与された注釈情報を他の装置に出力する画像処理装置において、
画像と共にその画像に付与された１以上の注釈情報をそれぞれ示す１以上の項目を同一画面に表示して、表示した項目の選択を受け付け、表示した画像と選択された項目が示す注釈情報とを他の装置に出力することを特徴とする画像処理装置。
【請求項２】
前記注釈情報が画像、音声、および文字列のいずれかであることを特徴とする請求項１に記載の画像処理装置。
【請求項３】
前記他の装置がプリンタであることを特徴とする請求項１に記載の画像処理装置。
【請求項４】
前記他の装置に出力する事項を表示する所定領域を前記表示画面に設けて、画像を前記所定領域に表示し、注釈情報を示す項目を前記所定領域の外に表示し、表示した項目が選択されたときに、選択された項目を前記所定領域に表示することを特徴とする請求項１に記載の画像処理装置。
【請求項５】
画像および画像の一部の領域に付与された注釈情報を出力する方法において、
画像と共にその画像に付与された１以上の注釈情報をそれぞれ示す１以上の項目を同一画面に表示して、表示した項目の選択を受け付け、表示した画像と選択された項目が示す注釈情報とを出力することを特徴とする方法。
【請求項６】
画像および画像の一部の領域に付与された注釈情報を出力する処理が記されているプログラムにおいて、
画像と共にその画像に付与された１以上の注釈情報をそれぞれ示す１以上の項目を同一画面に表示する処理と、
表示した項目の選択を受け付ける処理と、
表示した画像と選択された項目が示す注釈情報とを他の装置に出力する処理が記されていることを特徴とするプログラム。
【発明の詳細な説明】
【０００１】
【発明の属する技術分野】
本発明は、一部の領域に注釈情報が付与された画像を取り扱う画像処理装置に関し、特に、画像と注釈情報の他の装置への出力に関する。
【０００２】
【従来の技術】
デジタルカメラで撮影した画像の全体または一部の領域に注釈情報を付与して、画像が有する情報伝達の機能を高めることが提案されている。画像への注釈情報の付与は画像を撮影したデジタルカメラ自体で行われることもあれば、画像をパーソナルコンピュータに伝送して、パーソナルコンピュータ上で行われることもある。いずれにしても、使用者は、画像の任意の位置に任意の大きさの領域を設けて、画像、音声、文字列等を注釈情報として付与することができる。１つの画像に複数の注釈情報を付与することも可能である。
【０００３】
画像および注釈情報はデジタルカメラやパーソナルコンピュータで再生することができるが、注釈情報が付与されている画像をプリンタに出力して印刷する際には、注釈情報が印刷可能な画像や文字列であれば、その注釈情報も印刷することができる。また、注釈情報が付与されている画像をプリンタ以外の装置に出力する際にも、その画像に付与されている注釈情報も出力することができる。
【０００４】
多くの画像を取り扱うことが可能なパーソナルコンピュータには、複数の画像を一覧することができるインデックスプリントを印刷する機能を備えたものがあり、また、印刷された状態の画像をあらかじめ表示するプレビュー機能を備えたものもある。特開２０００−３３２９８５号公報には、インデックスプリントを作成する際に、シートの大きさ、画像の大きさ、画像数等に基づいて自動的にインデックスプリントのレイアウトを設定し、そのレイアウトでのプレビュー表示を行うことが開示されている。また、複数の画像を並べて表示し、表示した画像の中から選択されたものを印刷するようにしたパーソナルコンピュータも多い。
【０００５】
【特許文献１】特開２０００−３３２９８５号公報
【０００６】
【発明が解決しようとする課題】
ところが、画像に付与された注釈情報の出力に関しては、音声の注釈情報のプリンタへの出力を避ける点に考慮が払われているのみで、使用者が注釈情報を選択できるようにはされていない。すなわち、出力する画像の選択と、その画像に付与されている注釈情報を出力するか否かの選択のみが可能であり、注釈情報の出力が選択されたときには、選択された画像と共にその画像に付与されている全ての注釈情報が出力される（音声の注釈情報のプリンタへの出力はなされない）。
【０００７】
このため、使用者が望まない注釈情報まで出力されることになり、出力に要する時間や印刷されるシート数が増大する点で能率が低く、出力を受けたプリンタ以外の装置で不要な注釈情報を削除する必要や、印刷されたシートの中なら所望のものを取り出す必要が生じる点で使い勝手も良くないのが現状である。画像と注釈情報の関連は、それらのファイルのタグ（ヘッダー）や別のファイルに記述されており、その記述を変更すれば所望の注釈情報のみを出力することも可能になるが、画像と注釈情報との関連の記述を変更しようとすると、何らかの編集作業が必要になって、一層使い勝手が悪くなる。
【０００８】
本発明はこのような問題点に鑑みてなされたもので、画像に付与された注釈情報の中から使用者が選択したもののみを出力する能率のよい画像処理装置、ならびにそのための方法およびプログラムを提供することを目的とする。
【０００９】
【課題を解決するための手段】
上記目的を達成するために、本発明では、画像および画像の一部の領域に付与された注釈情報を他の装置に出力する画像処理装置において、画像と共にその画像に付与された１以上の注釈情報をそれぞれ示す１以上の項目を同一画面に表示して、表示した項目の選択を受け付け、表示した画像と選択された項目が示す注釈情報とを他の装置に出力するようにする。
【００１０】
この画像処理装置では、画像と使用者が選択した注釈情報のみを出力するため、無駄がなく能率がよい。しかも、画像に付与されている注釈情報を示す項目をその画像と共に表示して、表示した項目の中から所望の注釈情報のものを使用者に選択させるようにしているので、注釈情報の選択も簡単である。注釈情報を示す項目は、注釈情報そのものとしてもよいし、注釈情報を判り易く表すものとしてもよい。
【００１１】
前記注釈情報は画像、音声、および文字列のいずれかとすることができる。注釈情報を示す項目は、注釈情報が画像や文字列のときは、画像や文字列そのものとするのが好ましく、注釈情報が表示不可能な音声のときは、例えば、その音声のファイル名とすればよい。
【００１２】
前記他の装置はプリンタとすることができる。この場合、選択された注釈情報が音声であれば、そのファイル名の文字列を出力するようにするとよい。
【００１３】
前記他の装置に出力する事項を表示する所定領域を前記表示画面に設けて、画像を前記所定領域に表示し、注釈情報を示す項目を前記所定領域の外に表示し、表示した項目が選択されたときに、選択された項目を前記所定領域に表示するようにするとよい。このようにすることで、何が出力されるかが使用者に判り易くなる。
【００１４】
前記目的を達成するために、本発明ではまた、画像および画像の一部の領域に付与された注釈情報を出力する方法において、画像と共にその画像に付与された１以上の注釈情報をそれぞれ示す１以上の項目を同一画面に表示して、表示した項目の選択を受け付け、表示した画像と選択された項目が示す注釈情報とを出力するようにする。
【００１５】
本発明では、さらにまた、画像および画像の一部の領域に付与された注釈情報を出力する処理が記されているプログラムにおいて、画像と共にその画像に付与された１以上の注釈情報をそれぞれ示す１以上の項目を同一画面に表示する処理と、表示した項目の選択を受け付ける処理と、表示した画像と選択された項目が示す注釈情報とを他の装置に出力する処理が記されているものとする。
【００１６】
【発明の実施の形態】
以下、本発明の実施形態について図面を参照しながら説明する。本発明の一実施形態であるパーソナルコンピュータ２００を図１に示す。パーソナルコンピュータ２００は、ＣＰＵ、ハードディスク等を内蔵した本体と、その上に設けられた表示部のほか、図示しないキーボードおよびマウスを備えており、また、プリンタを接続することもできる。本体には、光ディスク６１およびメモリカード６２を装着することが可能である。
【００１７】
パーソナルコンピュータ２００は、画像を撮影することはできないが、一部の領域に注釈情報（アノテーション）が付与された画像をデジタルカメラから与えられて、その画像やアノテーションを再生することができる。また、画像のうちの使用者が指定する領域にアノテーションを付与する機能も有する。アノテーションには、画像、音声、および文字列の３種がある。以下、アノテーションとしての画像をアノテーション画像、アノテーションとしての音声をアノテーション音声、アノテーションとしての文字列をアノテーション文字列とよぶ。また、アノテーションが付与された画像およびアノテーションが付与される画像を親画像ともよぶ。
【００１８】
画像とアノテーションに関する処理を記したプログラムは光ディスク６１に記録されており、パーソナルコンピュータ２００はそのプログラムを内蔵のハードディスクに複写して使用する。画像やアノテーションは、メモリカード６２に記録されて、またはデジタルカメラとパーソナルコンピュータを接続するケーブルを介して、提供される。なお、インターネット上のウェブサイトからのダウンロード、あるいは電子メールの添付ファイルとして、プログラムや画像を取得することも可能である。
【００１９】
パーソナルコンピュータ２００に画像および画像に付与したアノテーションを与えるデジタルカメラ１００を図２に示す。図２において（ａ）、（ｂ）はそれぞれデジタルカメラ１００の斜視図および背面図である。デジタルカメラ１００は、前面に撮影レンズ１およびマイクロフォン２、側面に半導体メモリ内蔵のメモリカード６２を装着するための挿入口６、背面に液晶表示器１１、スピーカー１２および種々の操作部材１３〜１５を備えている。デジタルカメラ１００は、ＣＣＤエリアセンサを内蔵しており、撮影対象からの光を撮影レンズ１でＣＣＤセンサ上に結像させて、電気信号に変換することにより画像を撮影する。
【００２０】
撮影した画像には、使用者が指定する領域に、アノテーション画像またはアノテーション音声を付与することができる。アノテーション画像は、他の画像と同様に、撮影によって得られる。アノテーション画像を含む全ての画像は、液晶表示器１１に表示することができる。アノテーション音声はマイクロフォン２によって検出されて録音される。アノテーション音声はスピーカー１２から再生することができる。
【００２１】
パーソナルコンピュータ２００が、画像とアノテーションに関して表示部に表示するウインドウの構成を図３に示す。画像とアノテーションに関するウィンドウには、インデックスウインドウ７１、アノテーションウインドウ７２、および印刷プレビューウインドウ７３があり、これらのウインドウが処理に応じて開かれる。インデックスウインドウ７１、アノテーションウインドウ７２、および印刷プレビューウインドウ７３の例をそれぞれ図４、図５および図６に示す。
【００２２】
インデックスウインドウ７１（図４）は、サムネイル画像表示領域７１ａ、およびフォルダーツリー表示領域７１ｂを有する。アノテーションウインドウ７２（図５）は、親画像表示領域７２ａ、アノテーション作成領域７２ｂ、およびアノテーション表示領域７２ｃを有する。また、印刷プレビューウインドウ７３（図６）は、印刷プレビュー表示領域７３ａ、および印刷アノテーション選択領域７３ｂを有する。
【００２３】
インデックスウインドウ７１では、フォルダーツリー領域７１ｂで選択されたフォルダー内の画像ファイルのサムネイル画像をサムネイル画像表示領域７１ａに並べて表示する。使用者が、表示されたサムネイル画像のいずれかを選択して、画面上部のメニューからアノテーションの付与、再生を指示するコマンドを選んで実行したり、サムネイル画像をマウスでダブルクリックしたりすると、アノテーションウインドウ７２が開き、その画像が親画像表示領域７２ａに表示される。図５は、図４のサムネイル画像７７が選択されたときのものである。
【００２４】
アノテーションウインドウ７２では、親画像表示領域７２ａで親画像に領域を設定し、その領域に対してアノテーションを付与することができる。アノテーションはアノテーション作成領域７２ｂで作成する。デジタルカメラ１００で画像に付与するアノテーションは画像と音声であるが、パーソナルコンピュータ２００では、アノテーション文字列を付与することも可能である。アノテーション文字列を付与する場合は、その文字列をアノテーション作成領域７２ｂに書き込み、アノテーション画像やアノテーション音声を付与する場合は、アノテーション作成領域７２ｂに表示される画像ファイルや音声ファイルを選択する。決定されたアノテーションはアノテーション表示領域７２ｃに表示される。
【００２５】
このようにしてアノテーションを付与された親画像およびそのアノテーションは、画面上部のメニューから記録を指示するコマンド選んで実行することで、ファイルに記録することができる。このファイルは、１つの親画像に対して１つ作成され、画像と１以上のアノテーションと、画像とアノテーションとの関連（ファイル名、領域の位置や大きさ等）を示す情報とを含む統合ファイルである。以下、このような統合ファイルをｍｄｍファイルともよぶ。
【００２６】
インデックスウインドウ７１に表示するサムネイル画像は、ＪＰＥＧ、ＢＭＰ、ＴＩＦＦ（それぞれ拡張子ｊｐｇ、ｂｍｐ、ｔｉｆ）等の通常のフォーマットの画像ファイルと、ｍｄｍファイルのものである。通常の画像ファイルの場合は、そのサムネイル画像を表示し、ｍｄｍファイルの場合は、その中の親画像のサムネイル画像を表示する。サムネイル画像を表示する処理の流れを図７に示す。
【００２７】
パーソナルコンピュータ２００は、デジタルカメラ１００で撮影された画像および画像に付与されているアノテーションをｍｄｍファイルに記録する機能を有する。デジタルカメラ１００では、親画像を記録した画像ファイルとアノテーションを記録したアノテーションファイルを別個に作成し、また、親画像とその全てのアノテーションとの関連を示す情報とを記した関連付けファイルを作成する。
【００２８】
デジタルカメラ１００におけるファイルフォルダーの構成を図８に示す。この例では、Ｐｉｃｔ０００１．ｊｐｇとＰｉｃｔ０００４．ｊｐｇとが親画像のファイルとなっている。これらのファイルはＤＣＦ（デジタルカメラフォーマット）フォルダーである１００ＭＬＴ０９内に置かれており、さらにアノテーションフォルダーＡｎｎ０００１とＡｎｎ０００４がフォルダー１００ＭＬＴ０９内に存在する。アノテーションフォルダーの番号０００１、０００４はそれぞれ、親画像のファイルＰｉｃｔ０００１．ｊｐｇ、Ｐｉｃｔ０００４．ｊｐｇの番号部分と同じであり、これにより親画像とアノテーションフォルダーとの対応付けがなされている。
【００２９】
各アノテーションフォルダー内には、関連付けファイル、アノテーション画像ファイル、アノテーション音声ファイルが格納されている。例えば、フォルダーＡｎｎ０００１については、Ａｎｎ０００１．ｔｘｔが関連付けファイルであり、Ａｎｎ０００１．ｊｐｇとＡｎｎ０００２．ｊｐｇの２つがアノテーション画像ファイル、Ａｎｎ０００１．ｗａｖ、Ａｎｎ０００２．ｗａｖの２つがアノテーション音声ファイルである。
【００３０】
関連付けファイルの内容を表１に示す。なお、項目３〜６は、親画像に付与されているアノテーションの数だけ存在する。
2005025548.tif 000003
【００３１】
パーソナルコンピュータ２００では、デジタルカメラ１００から親画像の画像ファイルと共に与えられるアノテーションフォルダーおよびその中の関連付けファイルを参照して、ｍｄｍファイルを作成する。ｍｄｍファイルの作成処理の流れを図９に示す。
【００３２】
インデックスウインドウ７１上のフォルダーツリーで選択されたフォルダーの直下にアノテーションフォルダーが存在し、かつ、そのアノテーションフォルダー内に関連付けファイルが存在し、かつ、その関連付けファイルに記述されている全てのファイルがアノテーションフォルダーまたは選択されたフォルダー内に存在する場合にのみ（ステップ＃１０１〜＃１０３）、ｍｄｍファイルを作成する（＃１０４）。ここで、選択されたフォルダーも調べるのは、図８に示したように、アノテーションフォルダーに対応する親画像ファイルは、アノテーションフォルダーと並列に、選択されたフォルダーに格納されているからである。
【００３３】
ｍｄｍファイルを作成したら、その関連付けファイルを消去する（＃１０５）。これは、次回以降、このフォルダーを選択したときに、ｍｄｍファイルを作成しないようにするためである。また、ｍｄｍファイルを作成した後は、例えば図１０のメッセージを表示して、作成したｍｄｍファイルがどのフォルダーに格納されているかが判るようにする（＃１０６）。アノテーションフォルダーは存在したが、関連付けファイルや関連付けファイルに記述されているファイルが存在しないためにｍｄｍファイルを作成しなかった場合は、例えば図１１のメッセージを表示して、その旨を知らせる（＃１０７）。アノテーションフォルダーが存在しない場合は、何のメッセージも表示しない。これは、ｍｄｍファイルの作成そのものが必要ないからである。
【００３４】
図８に示した例のように、選択されたフォルダーに複数のアノテーションフォルダーが存在する場合、アノテーションフォルダーごとにステップ＃１０１〜＃１０７の処理を行う。これで、複数の画像ファイルについてｍｄｍファイルを一度に作成することができる。なお、その場合、ｍｄｍファイルは親画像ごとに個別に作成する。
【００３５】
上記の処理では、フォルダーを指定するだけでｍｄｍファイルが自動的に作成されるので、能率がよく、また、デジタルカメラ１００で作成したファイルを気づかないうちに消去してしまうという使用者の不安を軽減することができる。ただし、使用者が望まない親画像についてまで、ｍｄｍファイルを作成することがある。これは、ｍｄｍファイルを作成するか否かの指示を受け付けて、作成の指示を与えられたときのみに作成することで、避けることができる。また、フォルダーに代えて画像ファイルを指定するようにすることでも避けることができる。
【００３６】
指定された画像ファイルについてｍｄｍファイルを作成する処理の流れを図１２に示す。使用者が、インデックスウインドウ７１でサムネイル画像を選択して、メニューからアノテーションの付与、再生を指示するコマンドを選んで実行したり、サムネイル画像をマウスでダブルクリックしたりした場合、その画像がデジタルカメラ１００内で関連付けられた親画像であるか否かを判別する（ステップ＃１１１）。デジタルカメラ１００で関連付けられた画像ファイルや音声ファイルには、そのタグ（ヘッダー）に、親画像、アノテーション画像、アノテーション音声等の属性を示す情報が記されており、これを参照することで親画像であるか否かが判る。親画像の場合は、例えば図１３のようなメッセージを表示して（＃１１２）、ｍｄｍファイルを作成するか否かの指示を受け付ける（＃１１３）。
【００３７】
作成が指示されたときは、親画像ファイルが格納されているフォルダーにアノテーションフォルダーが存在し、かつ、そのアノテーションフォルダーに関連付けファイルが存在し、かつ、関連付けファイルに記述されている全てのファイルが存在する場合のみに（＃１１４〜＃１１６）、ｍｄｍファイルを作成する（＃１１７）。ｍｄｍファイルの作成後、例えば図１０のメッセージを表示して、作成したｍｄｍファイルがどのフォルダーに格納されているかが判るようにする（＃１１８）。そして、作成したｍｄｍファイルをアノテーションウインドウ７２に開く（＃１１９）。
【００３８】
アノテーションフォルダーは存在したが、関連付けファイルや関連付けファイルに記述されているファイルが存在しないためにｍｄｍファイルを作成しなかった場合は、例えば図１１のメッセージを表示して、その旨を知らせる（＃１２０）。そして、そのファイルを新たにアノテーションを付与する親画像としてアノテーションウインドウ７２に開く（＃１２１）。ステップ＃１１１の判定で親画像でなかったときも、そのファイルを新たにアノテーションを付与する親画像としてアノテーションウインドウ７２に開く。
【００３９】
アノテーションウインドウ７２において画面上部のメニューから印刷プレビューを指示するコマンド選択して実行すると、印刷プレビューウインドウ７３が開き、アノテーションウインドウ７２または印刷プレビューウインドウ７３において、画面上部のメニューから印刷を指示するコマンドを選択して実行すると、プリンタに出力されてシートへの印刷がなされる。
【００４０】
印刷出力の例を図１４に示す。印刷は２ページにわたっている。８１は親画像であり、親画像８１上にアノテーションが付与されている領域８２、８３、８４が表されている。８５、８６、８７は、それぞれ領域８２、８３、８４の画像（親画像の一部）である。８８、８９はそれぞれ領域８２に付与されているアノテーション画像およびアノテーション文字列であり、９０、９１はそれぞれ領域８３に付与されているアノテーション画像およびアノテーション文字列である。また、９２は領域８４に付与されているアノテーション音声の音声ファイルである。
【００４１】
このように、印刷では、親画像、親画像のうちのアノテーションを付与された領域の画像、および付与されているアノテーション画像、アノテーション文字列を表すことができるが、パーソナルコンピュータ２００では、印刷プレビューウインドウ７３において、印刷するアノテーションを選択することが可能である。印刷プレビューウインドウ７３（図６）には、前述のように、印刷アノテーション選択領域７３ｂが設けられており、ここに、親画像に付与されている全てのアノテーションが表示される。各アノテーションに対応してチックボックスが表示され、使用者はマウスの操作でチェックボックスを選択する（塗りつぶし表示にする）ことで、印刷するアノテーションを選択する。図６の例では、上から１番目と３番目のアノテーションが選択されており、これらが印刷プレビュー領域７３ａに表示されている。
【００４２】
印刷するアノテーションを選択する処理の流れを図１５に示す。親画像とアノテーションが付与されている領域を印刷プレビュー領域７３ａに表示するとともに、付与されている全てのアノテーションを印刷アノテーション選択領域７３ｂに表示する（ステップ＃１３１）。そして、アノテーション（チェックボックス）の選択を受け付け（＃１３２）、選択されたアノテーションを印刷プレビュー領域７３ａの表示に加える（＃１３３）。アノテーションの選択が取り消されたとき（チェックボックスが空白表示に戻されたとき）には、印刷プレビュー領域７３ａの表示からそのアノテーションを除く。
【００４３】
このように、パーソナルコンピュータ２００では、印刷したいアノテーションを使用者が任意に選択することができるので、無駄がなく能率がよい。また、親画像と共にアノテーションまたはそのファイル名を表示するするので、選択自体も容易である。
【００４４】
親画像に付与されているアノテーションを使用者が選択し得るようにすることは、印刷すなわちプリンタへの出力に限らず、他の装置への出力にも適用することができる。また、パーソナルコンピュータからの出力に限らず、デジタルカメラ等の画像を扱い得る別種の装置からの出力にも適用することができる。さらに、その出力の伝送方式に制約はなく、ケーブルを介して、ケーブルを介さず無線で、あるいは記録媒体に記録して、出力することができる。
【００４５】
画像およびアノテーションを出力する装置と、その出力を受ける装置と、出力の伝送方式の例を図１６に示す。図１６において、（ａ）は、上記の実施形態と同様に、パーソナルコンピュータ２００からプリンタ２０１に出力する構成である。出力の伝送はケーブルを介して行われる。（ｂ）は、パーソナルコンピュータ２００から別のパーソナルコンピュータ２００’に出力する構成である。出力の伝送はケーブル、記録媒体、またはインターネットを介して行われる。（ｃ）はデジタルカメラ１００からプリンタ２０１に出力する構成である。出力の伝送はケーブルを介して行われる。
【００４６】
（ｄ）は、上記の実施形態とは逆に、パーソナルコンピュータ２００からデジタルカメラ１００に出力する構成である。出力の伝送は記録媒体を介して行われる。（ｅ）は、デジタルカメラ１００から、携帯電話機２０２、２０２’を経て別のデジタルカメラ１００’に出力する構成である。出力の伝送は、デジタルカメラ１００と電話機２０２の間および電話機２０２’とデジタルカメラの間についてはケーブルを介して、電話機２０２と電話機２０２’の間については無線および公衆電話回線を介して行われる。
【００４７】
画像およびアノテーションの出力に際しては、受ける側の装置に適するフォーマットとする必要がある。例えば、図１６の（ａ）、（ｃ）の例のように、プリンタに出力する場合は、プリンタフォーマットとする。出力は親画像と選択されたアノテーションのみとするが、選択されたアノテーションの種類が音声のときは、その音声ファイルのファイル名を表す文字列をアノテーションとして出力する。
【００４８】
（ｂ）のように、パーソナルコンピュータからパーソナルコンピュータに出力する場合は、ＪＰＥＧ、ＢＭＰ、ＴＩＦＦ等の通常のフォーマットのファイルを出力してもよいし、ｍｄｍフォーマットのファイルを出力してもよい。前者のときは、アノテーションファイルについては選択されたもののみを出力し、関連付けファイルについては親画像と選択されたアノテーションとの関連のみを記述したものを新たに作成して、これを出力する。後者のときは、親画像と選択されたアノテーションとそれらの関連のみを記したｍｄｍファイルを新たに作成して出力する。
【００４９】
（ｄ）や（ｅ）のようにデジタルカメラに出力する場合は、ＪＰＥＧ等の通常のフォーマットのファイルを出力する。このときも、アノテーションファイルについては選択されたもののみを出力し、関連付けファイルについては親画像と選択されたアノテーションとの関連のみを記述したものを新たに作成して、これを出力する。
【００５０】
図１６（ｅ）のようにデジタルカメラ１００から別のデジタルカメラ１００’に画像およびアノテーションを送信する実施形態について説明する。前述のように（図２（ｂ）参照）、デジタルカメラ１００の背面には液晶表示器１１といくつかの操作部材１３〜１５が設けられており、操作部材１５の１つであるメインメニューボタンを操作すると、いくつかの動作モードを表したメニューが表示される。この状態で方向キー１４を操作して送信モードを選択すると、メモリカード６２に記録されている画像のサムネイル画像が並べて表示され、さらに方向キー１４を操作していずれかのサムネイル画像を選択すると、対応する元の画像が表示される。
【００５１】
その画像がアノテーションを付与された親画像であるときは、図１７に示すように、表示された親画像９３に重ねて、アノテーションが付与されている領域を示す領域枠９４が表示されるとともに、付与されているアノテーションが表示される。付与されているのがアノテーション画像のときはそのアノテーション画像９５が表示され、アノテーション音声のときはその音声ファイルのファイル名９６が表示される。また、アノテーション９５、９６の近傍にチェックボックス９７が表示される。使用者は、方向キー１４の操作および操作部材１５の１つである決定ボタンの操作でチェックボックス９７を選択する（塗りつぶし表示にする）ことにより、送信するアノテーションを選択する。さらに、操作部材１５の１つである送信ボタンを操作すると、選択されたアノテーションが親画像と共に送信される。
【００５２】
【発明の効果】
画像と共にその画像に付与された１以上の注釈情報をそれぞれ示す１以上の項目を同一画面に表示して、表示した項目の選択を受け付け、表示した画像と選択された項目が示す注釈情報とを出力するようにした本発明では、画像のほかに、使用者が望む注釈情報のみを出力することができて、無駄がなく能率がよい。しかも、出力する注釈情報の選択も簡単である。
【００５３】
出力する事項を表示する所定領域を表示画面に設けて、画像を所定領域に表示し、注釈情報を示す項目を所定領域の外に表示し、表示した項目が選択されたときに、選択された項目を所定領域に表示するようにすると、何が出力されるかが使用者に判り易くなる。
【図面の簡単な説明】
【図１】本発明の一実施形態のパーソナルコンピュータを示す図。
【図２】上記パーソナルコンピュータにアノテーションを付与した画像を与えるデジタルカメラを示す図。
【図３】パーソナルコンピュータが画像とアノテーションに関して表示するウインドウの構成を示す図。
【図４】パーソナルコンピュータが表示するインデックスウインドウの例を示す図。
【図５】パーソナルコンピュータが表示するアノテーションウインドウの例を示す図。
【図６】パーソナルコンピュータが表示する印刷プレビューウインドウの例を示す図。
【図７】パーソナルコンピュータにおけるサムネイル画像を表示する処理の流れを示すフローチャート。
【図８】デジタルカメラにおけるファイルフォルダーの構成を示す図。
【図９】パーソナルコンピュータにおけるｍｄｍファイルの作成処理の流れを示すフローチャート。
【図１０】パーソナルコンピュータがｍｄｍファイルの作成後に表示するメッセージの例を示す図。
【図１１】パーソナルコンピュータがｍｄｍファイルを作成しないときに表示する警告メッセージの例を示す図。
【図１２】パーソナルコンピュータにおけるｍｄｍファイルの別の作成処理の流れを示すフローチャート。
【図１３】パーソナルコンピュータがｍｄｍファイルの作成前に表示するメッセージの例を示す図。
【図１４】パーソナルコンピュータによる印刷出力の例を示す図。
【図１５】パーソナルコンピュータにおける印刷するアノテーションを選択する処理の流れを示すフローチャート。
【図１６】画像およびアノテーションを出力する装置と、その出力を受ける装置と、出力の伝送方式の例を示す図。
【図１７】デジタルカメラにおける送信するアノテーションを選択するための画面を示す図。
【符号の説明】
１００    デジタルカメラ
１    撮影レンズ
２    マイクロフォン
６    メモリカード挿入口
１１    液晶表示器
１２    スピーカー
１３〜１５  操作部材
２００    パーソナルコンピュータ
６１    光ディスク
６２    メモリカード
７１    インデックスウインドウ
７１ａ  サムネイル画像表示領域
７１ｂ  フォルダーツリー表示領域
７２    アノテーションウインドウ
７２ａ  親画像表示領域
７２ｂ  アノテーション作成領域
７２ｃ  アノテーション表示領域
７３    印刷プレビューウインドウ
７３ａ  印刷プレビュー表示領域
７３ｂ  印刷アノテーション選択領域
７７    サムネイル画像
８１    親画像
８２〜８４  親画像領域
８５〜８７  親画像領域部分
８８〜９２  アノテーション
９３    親画像
９４    領域枠
９５    アノテーション画像
９６    アノテーション音声ファイル名
９７    チェックボックス
１００’  デジタルカメラ
２００’  パーソナルコンピュータ
２０１    プリンタ
２０２、２０２’  携帯電話機
【図１】
2005025548.tif 000004
【図２】
2005025548.tif 000005
【図３】
2005025548.tif 000006
【図４】
2005025548.tif 000007
【図５】
2005025548.tif 000008
【図６】
2005025548.tif 000009
【図７】
2005025548.tif 000010
【図８】
2005025548.tif 000011
【図９】
2005025548.tif 000012
【図１０】
2005025548.tif 000013
【図１１】
2005025548.tif 000014
【図１２】
2005025548.tif 000015
【図１３】
2005025548.tif 000016
【図１４】
2005025548.tif 000017
【図１５】
2005025548.tif 000018
【図１６】
2005025548.tif 000019
【図１７】
2005025548.tif 000020